(57)【要約】      （修正有）【課題】市場には掛ふとんと敷ふとんに通風路を内藏しその通風路に暖房機で温風を流し、寝床内を熟睡環境にする商品は市販されています。それ等は手持ち寝具が不用になり普及の大きな問題になっており、これを解決する。【解決手段】手持の掛ふとん、敷ふとんを使用してエアーコントロールふとん化する方法で、掛カバー１の掛カバー裏生地２の内面に掛カバー通風路生地３を縫合し掛通風路３′を作る。敷カバーの裏面に敷カバー通風路生地９を縫合して、敷通風路９′を作り掛カバー１の内に掛ふとん１３を入れる。又敷カバー８′の内に敷マット（敷ふとん）１４を入れる。掛カバー用送風口５を掛用送風口６にセットする。又敷カバー用送風口５′を敷用送風口６′にセットして、暖房送風機７より好みの温風を好みの風量で送風し、寝床内を熟睡環境にする手持寝具使用の簡易エアーコントロールふとん。【選択図】図８
2008279239.tif 000002
【特許請求の範囲】
【請求項１】
掛ふとん、敷ふとん、に暖房送風機より温風を送風する、エアーコントロールふとんの発明で、手持の掛ふとん、敷ふとんを使用して簡易にエァーコントロールふとん化する発明である。
掛カバー（１）の掛カバー裏生地（２）の内面に掛カバー通風路生地（３）を縫合し、掛通風路（３′）を作る。敷カバー（８）の裏面に、敷カバー通風路生地（９）を縫合して、敷通風路（９′）を作り、掛カバー（１）の内に掛ふとん（１３）を入れる。又敷カバー（８）の内に敷マット（又は敷ふとん）（１４）を入れる。掛カバー用送風口（５）を掛用送風口（６）にセットする。又敷カバー用送風口（５′）を敷用送風口（６′）にセットして、暖房送風機（７）より好みの温風を好みの風量で送風し、寝床内を熟睡環境にすることは特微とした手持寝具使用の、簡易エアーコントロールふとん。
【請求項２】
掛カバー（１）の掛カバー通風路生地（３）と、敷カバー（８）の敷カバー通風路生地（９）は、掛カバー裏生地（２）や、敷カバー（８）の生地より、高通気度の空気を通しにくい生地を使用したことを特微とする、掛カバー通風路付と敷カバー通風路付
【請求項３】
敷カバー通風路付（８′）の下に除湿ネット（１０）を敷き、敷マット（敷ふとん）（１４）を包み一体化して敷通風路（９′）に暖房送風機（７）より温風を送風することを特微とした、簡易敷用エアーコントロールふとん。
【請求項４】
敷カバー（８）の下に除湿ネット（１０）を敷く、この除湿ネット（１０）の除湿ネット表（１１）と除湿ネット裏（１２）の間に敷カバー用送風口（５′）を足元の所に設け、これに敷用送風口（６′）をセットして、暖房送風機（７）より温風を送風することを特微とした、簡易敷用エァーコントロールふとん。
【発明の詳細な説明】
【技術分野】健康福祉用寝具
【背景技術】エアーコントロールふとん
【発明の開示】
発明の名称
エアーコントロール羽毛ふとん          特許第２６１６８９３
エアーコントロールふとん              特許第２６３０７３３
エアーコントロール敷ふとんカバー      特許第３０６１３６０
寝床エアーコントロール装置            特許第３１８６６３２
【発明が解決しようとする課題】
【０００１】発明の開示で示す、４件の特許は実用化され市販されています。
しかしこの特許商品は掛ふとんと敷ふとん内に温風の流れる通風路が内藏されている。
この為、手持寝具が全て不用になり、資源がむだになり消却による温暖化の原因にもなる。病気療養で生活に苦しんでおられる人に、高額の出費を求めることが心くるしい。
この課題を解決しようとする発明である。
【課題を解決する為の手段】
【０００２】〔図１〕〔図２〕〔図３〕〔図４〕で示す様に、掛カバー（１）の掛カバー裏生地（２）の内面に、掛カバー通風路生地（３）を縫合し、掛通風路（３′）を作る。この掛通風路（３）本数は自由でよい。
又敷カバー（８）の裏面に、敷カバー通風路生地（９）を縫合して、敷通風路（９′）を作る。この通風路（９′）本数も自由で全面が通風路にしてもよい。この様に掛カバー（１）に通風路を設けた上記の掛カバー（１）に掛ふとん（１３）を入れる。敷カバー（８）に通風路を設けた上記の敷カバ通風路付（８′）に、敷マット（敷ふとん）（１４）をセットし暖房送風機（７）とセットした図が〔図８〕である
【０００３】〔図９〕は〔図８〕の▲Ｂ▼の部分を拡大した図で掛カバー通風路生地（３）と敷カバー通風路生地（９）は高通気度の生地で太線で表し、掛カバー裏生地（２）と敷カバー（８）は細線で示す様に、通気度のあまい生地を使用する為、温風は寝床内に流れやすく暖房送風機（７）の風圧が低くても寝床内に流れるのである。送風機の回転音が低いほと熟睡により、この為、室温３０℃でも使用可能なエアーコントロールふとんが安価に簡易に得られる様になりました。
【０００４】〔図１０〕で示す様に敷カバー通風路付（８′）の下に除湿ネット（１０）を敷き、敷通風路（９′）に流れる温風は敷カバ（８）を通して寝床内に流れると共に、除湿ネット内を流れ療養中の人の背面を常に一定の湿度に保ち、床ずれ防止、熟睡により健康回復に効果があります。
【０００５】〔図１１〕で示す様に敷カバー（８）の下に除湿ネット表（１１）と除湿ネット（１２）の間に敷カバー用送風口（５′）を設けた除湿ネット（１０）を敷き、それに通風すれば〔図１０〕で示すと同じ様な効果は得られます。この様な方法は敷カバー（８）がふくれあがり敷カバ（８）がたるんだシワを生じ、寝たきりの病気療養の人のシワによる床ずれの発生原因ともなり、健康な人での使用に適する商品です。利点としては敷カバー（８）は手持敷カバーが使用出来ます。
【発明の効果】
【０００６】発明の効果は全ての人は寝具を持って生活しています。この寝具が全て使用出来ます。敷カバー（１）と敷カバー（８）は一般に使用の、カバーでよい。ミシンの持ってる人なら、改造も出来ます。暖房送風機（７）を購入すれば簡易に安価にエアーコントロール化出来ます。現代に最も遅れている商品は寝具です。全ての空間がエアーコントロールされているの
2008279239.tif 000003
度は人体の温度に近く３５℃に上昇しその結果人体は汗を出して体温調節しようとして汗を出すのです。新聞によると日本の睡眠不足により損害は、３兆円以上と聞いています。このエアーコントロールふとんを使用すると寝床内は３１℃±１  ３０％±１０の環境で熟睡
2008279239.tif 000004
現代日本の最も必要な商品で、その発明の効果は絶大ではかりきれません。
【発明を実施する為の最良の型態】
【０００７】発明を実施する為の最良の型態は〔図８〕で示す型態です。掛カバー（１）の掛カバー裏生地（２）に掛カバー通風路生地（３）を縫合し掛通風路（３′）を作り、その内に手持の掛ふとん（１３）を入れる。敷カバー（８）の裏面に敷カバー通風路生地（９）を縫合し敷通風路（９′）を作る。その内に敷マット（敷ふとん）（１４）を包み、こみ、掛カバー用送風口（５）と掛用送風口（６）とを接続する。敷カバ（８）の裏面に敷カバー通風路生地（９）を縫合し敷通風路（９′）を作る。その内に〔図１０〕の様に除湿ネット（１０）を敷き、その下に敷きマット（敷ふとん）（１４）を包む様にセットする。敷カバー用送風口（５′）を敷用送風口（６′）に接続して暖房送風機より送風することが最良の型態で発明の効果を最大に得られるのです。
以上の説明の中で掛カバー通風路生地（３）と敷カバー通風路生地（９）をそれぞれ内面から縫合しようが外面から縫合しようが〔図７〕で示す様な生地間けいにすることが重要である。
【実施例】
【０００８】〔図１〕〔図２〕で示す様に掛カバー（１）の掛カバー裏生地（２）に掛カバー通風路生地（３）を縫合し、掛通風路（３′）を作る。通路の本数は自由に決めてよい。足部に掛カバ用送風口（５）を取りつける。
敷カバー（８）の裏面に敷カバー通風路生地（９）を縫合して、敷通風路（９′）を作る。その通風路の本数は自由に決めてよい。足部に敷カバ用送風口（５′）を取りつける。
掛カバー通風路生地（３）と敷カバー通風路生地（９）は、高通気度（空気の通りにくい生地）の生地を使用し縫合の際は常に寝床内に面する生地は、低通気度（空気の通りやすい生地）の生地になる様にする。カバの表面、裏面のどちらの面に縫合してもよいが〔図９〕の様にすることが重要です。
掛カバ（１）の内に掛ふとん（１３）を入れる。敷カバー（８）の内には、敷マット（敷ふとん）（１４）をセットする。健康な人は８時間の睡眠で起床する故上記のセットで理想の熟睡が出来ます。
病床生活の長い人は敷カバ（８）の下に、〔図５〕〔図６〕に示す除湿ネット（１０）を敷くと常に背面が４０％前後の湿度で保たれ、床ずれの発生を防止出来ます。
掛カバー用送風口（５）と掛用送風口（６）と接続し、敷カバー用送風口（５′）と敷用送風口（６′）と接続して暖房送風機（７）より好みの温風を好みの風量で送風すれば常に理想の熟睡が出来ます。【０００９】〔図１１〕は敷カバ（８）は手持の品を使用した図で敷カバ（８）に敷通風路（９′）がありません。
その為に除湿ネット（１０）の除湿ネット表（１１）除湿ネット裏（１２）の間に敷カバ用送風口（５′）を足部に取りつけ、敷用送風口（６′）と接続して〔図１０〕で示す方法と同じ性能を発揮するのです。この方式はより安く出来ます。
【図面の簡単な説明】
【００１０】
【図１】通風路付掛カバー  平面図
【図２】通風路付掛カバーに暖房送風機セット  側面図
【図３】通風路付敷カバー  平面図
【図４】通風路付敷カバー暖房送風機とセット  側面図
【図５】除湿ネットに敷カバー用送風口を取付  平面図
【図６】除湿ネットに敷カバー用送風口を取付  側面図
【図７】除湿ネット▲Ａ▼拡大図  側面図
【図８】掛カバー（通風路付）に掛ふとんセット。敷カバー（通風路付）に敷マットをセットし暖房送風機とセットした図  側面図
【図９】〔図８〕の▲Ｂ▼の拡大図  高通気度生地（太線）  低通気度生地（細線）  説明図  側面図
【図１０】敷カバー通風路付に除湿ネットを敷き、敷ふとんにセットし暖房送風機とセットした図  側面図
【図１１】手持敷カバーの下に除湿ネット表と除湿ネット裏の間に敷カバ用送風口を取付て暖房送風機とセットした図  側面図
【符号の説明】
【００１１】１、  掛カバー通風路付    ２  掛カバー裏生地        ３  掛カバー通風路生地
３′  掛通風路            ４  掛カバーフアスナー右  ４′  掛カバーフアスナー左
５  掛カバー用送風口      ５′  敷カバ用送風口      ６  掛用送風口
６′  敷用送風口          ７  暖房送風機            ８  敷カバー
８′  敷カバ通風路付      ９  敷カバー通風路生地    ９′  敷通風路
１０  除湿ネット          １０′  除湿ネット通風路  １１  除湿ネット表
１２  除湿ネット裏        １３  掛ふとん            １４  敷マット（敷ふとん）
１５  縫合テープ
【図１】
2008279239.tif 000005
【図２】
2008279239.tif 000006
【図３】
2008279239.tif 000007
【図４】
2008279239.tif 000008
【図５】
2008279239.tif 000009
【図６】
2008279239.tif 000010
【図７】
2008279239.tif 000011
【図８】
2008279239.tif 000012
【図９】
2008279239.tif 000013
【図１０】
2008279239.tif 000014
【図１１】
2008279239.tif 000015